(57)【要約】【課題】スピーカの面方向に、スピーカを配置する程度のスペースしか取れない部分に備えることがっできる音発生装置を提供する。【解決手段】音発生装置１は、音を発するスピーカ４に該スピーカ４を制御するためのプリント基板５と電源である電池６と前記プリント基板５の制御のオン−オフを行うためのスイッチ部７を重ね合わせ状に備えており、このため、従来のようにスピーカ４の面方向に幅広な構成ではなく、スピーカ４の面方向に、スピーカ４を配置する程度のスペースしか取れない部分に備えることができる。【選択図】図３
0003127406.tif 000002
【実用新案登録請求の範囲】
【請求項１】
音を発生するためのスピーカ、該スピーカに音を発生させる制御を実行するためのプリント基板、該プリント基板に前記制御を実行させるためのスイッチ部、スピーカ、プリント基板の電源になる電池、該電池をプリント基板に保持するための保持部を備える発音部と、該発音部を内装する凹嵌部が形成されたケーシングと、凹嵌部を塞蓋するシール材とを備えて構成される音発生装置において、前記スイッチ部は、発音部最上位置に配されてシール材に対向し、シール材の押圧でスイッチオンされるように構成されていると共に、スピーカは平板状で凹嵌部底面に支持され、スピーカの上面にプリント基板が配され、プリント基板の上面に電池が配されていることを特徴とする音発生装置。
【請求項２】
請求項１において、スイッチ部のシール材対向面にはスペーサ材が設けられていることを特徴とする音発生装置。
【請求項３】
請求項1または２において、スイッチ部は、長尺平板材から形成され、基端部位がプリント基板とのあいだで電池を挟持状に保持する保持部になってプリント基板に支持され、中間部位がシール材を介する押圧で弾性変形して先端部位がプリント基板に当接してスイッチオンするように構成されていることを特徴とする音発生装置。
【請求項４】
請求項１乃至３の何れか一つにおいて、発音される音は、メロディーまたは音声であることを特徴とする音発生装置。
【請求項５】
請求項１乃至４の何れか一つにおいて、ケーシングの外周側面は円型、星型、ハート型等の任意形状になっていることを特徴とする音発生装置。
【考案の詳細な説明】
【技術分野】
【０００１】
本考案は、プリント基板の制御に基づいてスピーカから音を発生する音発生装置であって、主にカードホルダ、写真立て、手紙に備えられる音発生装置の技術分野に属するものである。
【背景技術】
【０００２】
一般に、この種音発生装置の中には、カードホルダ、写真立て、手紙に備えて使用され、スイッチ部を押すと所定のメッセージやメロディが流れるようにしたものがある。ところで、このようなものの中には、カードホルダ等に備えるにあたり、なるべく小型であることが好ましい。そしてこのようなものとして、音を発生させるためのスピーカと、該スピーカを制御するためのプリント基板と、該プリント基板に制御を実行させるためのスイッチ部と、電源になる電池とを有する発音部を、ケーシングで保護する構成としたものがある。
【０００３】
また、このようなものは、カードホルダ等に備えるための空間に適応させるべく構成部材の配置を設計するが、例えば、写真立ての矩形状のケーシングに内装して備えるにあたり、ケーシングの厚みに対応させて薄型に設計されたものがあり（例えば、特許文献１参照。）、このものは、スイッチ部およびプリント基板を、平板状のスピーカに並列して配置している。
【特許文献１】特開２００１−１１２５９６号公報
【考案の開示】
【考案が解決しようとする課題】
【０００４】
しかしながら、このものは、スピーカの面方向に幅広のものであり、スピーカを配置する程度のスペースしか取れない部分に備えることができないといった問題がある。
【課題を解決するための手段】
【０００５】
本考案は、上記の如き実情に鑑みこれらの課題を解決することを目的として創作されたものであって、請求項１の考案は、音を発生するためのスピーカ、該スピーカに音を発生させる制御を実行するためのプリント基板、該プリント基板に前記制御を実行させるためのスイッチ部、スピーカ、プリント基板の電源になる電池、該電池をプリント基板に保持するための保持部を備える発音部と、該発音部を内装する凹嵌部が形成されたケーシングと、凹嵌部を塞蓋するシール材とを備えて構成される音発生装置において、前記スイッチ部は、発音部最上位置に配されてシール材に対向し、シール材の押圧でスイッチオンされるように構成されていると共に、スピーカは平板状で凹嵌部底面に支持され、スピーカの上面にプリント基板が配され、プリント基板の上面に電池が配されていることを特徴とする音発生装置である。
請求項２の発明は、請求項１において、スイッチ部のシール材対向面にはスペーサ材が設けられていることを特徴とする音発生装置である。
請求項３の発明は、請求項1または２において、スイッチ部は、長尺平板材から形成され、基端部位がプリント基板とのあいだで電池を挟持状に保持する保持部になってプリント基板に支持され、中間部位がシール材を介する押圧で弾性変形して先端部位がプリント基板に当接してスイッチオンするように構成されていることを特徴とする音発生装置である。
請求項４の発明は、請求項１乃至３の何れか一つにおいて、発音される音は、メロディーまたは音声であることを特徴とする音発生装置である。
請求項５の発明は、請求項１乃至４の何れか一つにおいて、ケーシングの外周側面は円型、星型、ハート型等の任意形状になっていることを特徴とする音発生装置である。
【考案の効果】
【０００６】
請求項１の考案とすることにより、従来スピーカに並列させていたプリント基板とスイッチとをスピーカに重ねた構成とすることで、スピーカの面方向における配置スペースの少ないものとすることができる。
請求項２の考案とすることにより、スイッチ部の押圧を容易にすることができる。さらにスペーサ材を弾力性のあるものとすれば、スイッチ部の接触による衝撃を和らげることができる。
請求項３の考案とすることにより、スイッチ部は、スイッチと、保持部とを兼ねているので、別々にした場合に小さくなり易く、扱い難いこれらの部品を一部材とすることができる。この結果、音発生装置を製造を容易にすることができる。
請求項４の考案とすることにより、使用目的に合わせたものとすることができる。
請求項５の考案とすることにより、意匠性の高いものとすることができる。
【考案を実施するための最良の形態】
【０００７】
次に、本考案の実施の形態について、図面に基づいて説明する。図面において、１は音発生装置であって、該音発生装置１は、音を発生するための発音部２と、該発音部２を内装し保護するためのケーシング３と、該ケーシング３に内装された発音部２を外部から見えないようにするためのシール材Ｓとを備えて構成されていることは従来通である。
【０００８】
前記発音部２は、音を発生させるためのスピーカ４と、該スピーカ４を制御するためのプリント基板５と、これらスピーカ４、プリント基板５の電源になる電池６と、該電池６を保持し、かつ、プリント基板５に制御を実行させるためのスイッチ部７とを備えて構成されている。
【０００９】
スピーカ４は、薄型（平板状）のものが好ましく、例えば、特開２００４−１０４３４２号公報に示すように、黄銅の金属板からなる平板円状の薄板４ａに、該薄板４ａよりも小径としたチタン酸バリウム等の強誘電性のセラミック層４ｂを、積層して形成した平板円状の圧電振動体を用いた構成とすることができ、この場合、薄板、セラミック層にそれぞれ後述する配線８ａ、８ｂを接続し、プリント基板５からの音信号を印加することにより、振動して音を発生させることができる。
【００１０】
また、プリント基板５は、予め登録された音信号と、該音信号を出力してスピーカ４に音を発生させる制御を実行するための電気回路とを有すると共に、一端側に電池６を保持して電気的に接続するための基板側接続部５ａ、他端側に後述する基板側接触部５ｂが形成されており、該接触部５ｂが後述する接触状態（スイッチオン状態）になると、音信号を出力してスピーカ４に音を発生させる制御を実行する。前記音信号は、メロディー（音楽）や音声を発生させるための信号である。
【００１１】
また、プリント基板５は、前述のようにスピーカ４の上面（図３の図面視上側の面であって、以降の説明においても図３における図面視上下左右の方向を採用して説明する。）に、重ねて備えられている。因みに、プリント基板５は、スピーカ４に配線８ａ、８ｂを接続しているが、スピーカ４に重ねて配置させた際に、少なくともスピーカ５の配線接続部位が露出されるように、一端側の一部が切り欠かれているため、前記配線８ａ、８ｂの接続を容易に行うことができるように配慮されている。
【００１２】
ところでスイッチ部７は、長尺板状材からなり、プリント基板４の上面に備えられ発音部２の最も上位置（図３の図面視）を構成するが、スイッチ部７の一端（基端）部位には、電池６を保持し電気的に接続するためのスイッチ部側接続部７ａ（本発明の保持部に相当する。）が形成されており、該接続部７ａは、前記基板側接続部５ａとのあいだで電池６を保持することができるように、前記接続部５ａと所定間隔を存して対向しているが、該所定間隔を存するようにスイッチ部７をプリント基板４に備えるために、スイッチ部７は、一端部からプリント基板５側に突出形成された固定片７ｂで固定できるようになっている。尚、接続部７ａは、プリント基板４側に傾斜しながら突起して形成されており、電池６をプリント基板４側に付勢しながら保持することができるので、電気的な接続を確実なものとすることができる。また、７ｃは、電池６を挿入したときに適当な位置で挿入を停止させるための停止片であって、該停止片７ｃは、スイッチ部７の一端に形成されている。
【００１３】
また、スイッチ部７は、他端（先端）部位が、前記接触部５ｂに対向する保持部側接触部７ｆになっている。そして、スイッチ部７には、前記一端部位から他端部位に至るあいだに可撓性の素材からなる中間部位７ｅが形成されており、このため、該接触部７ｆは、自然状態では前記接触部５ｂから離間していてスイッチオフ状態になっており、この状態から接触プリント基板５側に押圧した場合、前記固定部７ｂを支点として中間部位７ｅが押圧方向（後述するケーシング底面側）に弾性変形し、これによって前記接触部５ｂに接触して前記接触状態（スイッチオン）になる。該接触状態になると、プリント基板５は、スピーカ２から前記音信号に基づく音を発生させるための制御を実行することができる。
【００１４】
一方、ケーシング３は、発音部２（スピーカ４）を凹嵌するための凹嵌部３ａが形成されているが、該凹嵌部３ａは、上位置が凹嵌した発音部２の最上位置と略同じ位置になるように形成されており、発音部２から発せられる音を反響（共鳴）させて集音的に音を大きく響せる（増幅させる）ことができるようになっている。尚、本実施の形態のケーシング３は、底部分を除いた筒状（周面）部分が独立気泡率が高いポリエチレン、ポリプロピレン、ポリウレタン等の軟質〜半硬質の肉厚樹脂材で形成されており、外周側面を円形、星型、ハート型等の任意形状に形成することができる。
【００１５】
シール材Ｓは、凹嵌部３ａを塞蓋して備えられ、発音部２の露出を防ぐと共に、押圧することでスイッチ部７をプリント基板５側に弾性変形させて前記接触部７ｆを接触部５ｂに接触させることができるようになっている。このため、シール材Ｓは、可撓性を有する素材で形成されることが好ましく、本実施の形態では、厚みが約０．２ｍｍの紙で形成されている。
【００１６】
９はスイッチ部７のシール材Ｓに対向する面に備えられシール材Ｓを押圧した場合にシール材Ｓに当接してスイッチ部７を確実に前記接触姿勢にするためのスペーサ材であって、本実施の形態のスペーサ材９は、図３（Ａ）に示すように、中間部位７ｅの略中央位置に、スイッチ部７が弾性変形していない通常の姿勢でシール材Ｓに当接するように備えられており、シール材Ｓの中央付近を押圧すれば確実に前記接触姿勢にできるようになっている。また前記スペーサ材９は、スイッチ部７が必要以上にプリント基板５に強く接触しないように緩衝する緩衝材としても有効である。
【００１７】
尚、シール材Ｓには、カードケース、手紙等の贈り物に備えるに適したメッセージやイラスト等のデザインを施すことにより、意匠性の高いものとすることができる。さらに、音響発生装置１は、凹嵌部３ａの外底面に粘着材３ｂを形成することにより、手紙等に着脱自在に貼り付けて備えることができるので、従来のように予め手紙等の製造時に予め組み込む必要がないので、好みに合ったものを適宜選択して手紙等に備えることができる。
【００１８】
叙述の如く構成された本考案の実施の形態において、音発生装置１は、スピーカ４にプリント基板５と電池６とスイッチ部７を重ね合わせ状に備えており、このため、従来のようにスピーカ４の面方向に幅広な構成ではなく、該面方向にスペースのない場合にも備えることができる。
また、スイッチ部７は、一端部位に、プリント基板５とのあいだで電池６を保持するための接続部７ａと固定片７ｂとが形成されており、このため、電池６を保持するための部材と、プリント基板５のスイッチとを一つの部材に兼用することができ、この結果、部材を削減することができる。しかも、スイッチ部７は、他端部位に接触部７ｆが形成され、さらに前記一端部位から他端部位のあいだに中間部位７ｅが形成されており、該中間部位７ｅは、前記固定片７ｂを支点として弾性変形することができるため、シール材Ｓの押圧に伴い中間部位７ｅがプリント基板５側に弾性変形し接触部７ｆがプリント基板側接触部５ｂに接触することになって、これに基づいてプリント基板５は、スピーカ４に音を発生させる制御を実行する。この結果、スイッチ部７を簡易な構成としながら、オン−オフ切換による金属疲労の少ないものとすることができる。
【００１９】
スイッチ部７の中間部位７ｅには、シール材Ｓと対向してスペーサ材９が設けられており、スイッチ部７の接触姿勢への変姿を容易にすることができるうえ、通常の姿勢でシール材Ｓに当接しているので、シール材Ｓを押圧するときにスペーサ材９の感触がある位置を押せば確実にスイッチ部７を接触姿勢にすることができる。さらにスイッチ部７は、プリント基板５の制御スイッチであると共に、電池６を保持する保持部も兼ねているため、部品点数を削減することができる。
【００２０】
尚、本発明は前記実施の形態に限定されるものでないことは勿論であり、プリント基板５は、第一の実施の形態のように、予め音信号を登録することの他に、声等の音を書き換え自在に記憶できるようにすることができる。この場合、音信号を複数登録しておき、これら登録の中から適宜選択した音信号に基づき音を発生させる制御を実行することができる。さらに本実施の形態では、スイッチ部７を押圧した場合、スイッチ部７がオフしても予め設定された時間（例えば音楽であれば、その音楽が終了するまでの時間）、オン状態が維持されて音を発し続ける構成にしたが、オン操作を繰り返すごとにオン−オフ切り替えがなされるようにしてもよい。
【図面の簡単な説明】
【００２１】
【図１】シール材を取り付ける前の状態の音発生装置の平面図である。
【図２】音発生装置の分解斜視図である。
【図３】（Ａ）、（Ｂ）はそれぞれシール材を押圧しない通常状態の音発生装置の正面断面図、シール材を押圧した押圧状態の音発生装置の正面断面図である。
【符号の説明】
【００２２】
１          音発生装置
２          発音部
３          ケーシング
３ａ          凹嵌部
４          スピーカ
５          プリント基板
５ａ          基板側接続部
５ｂ          基板側接触部
６          電池
７          スイッチ部
７ａ          スイッチ部側接続部（保持部）
７ｅ          中間部位
７ｆ          スイッチ部側接触部
９          スペーサ材
Ｓ          シール材
【図１】
0003127406.tif 000003
【図２】
0003127406.tif 000004
【図３】
0003127406.tif 000005